(57)【特許請求の範囲】
【請求項１】
保管庫（２）の内部を冷却する冷却器（１３）と、前記保管庫の内部を加熱する加熱器（１５）と、を備え、前記冷却器および前記加熱器を制御して前記保管庫に保管されている作物に対するヒートショック処理を実施する庫内温度制御装置であって、
前記保管庫に保管される前記作物の収穫前の温度条件であるプレハーベスト条件を収集する情報収集部（Ｓ１００）と、
前記情報収集部により収集された前記プレハーベスト条件に基づいて前記作物に対して実施するヒートショック処理条件を特定する処理条件特定部（Ｓ１０５、Ｓ１０７）と、
前記処理条件特定部により特定された前記ヒートショック処理条件に従って前記冷却器および前記加熱器を制御する温度制御部（Ｓ１０６、Ｓ１０８、Ｓ１１０）と、を備えた庫内温度制御装置。
【請求項２】
前記作物の前記プレハーベスト条件が所定条件を満たした際に前記作物の低温障害の発生が抑制されるよう前記作物に対して実施するヒートショック処理条件を記憶する記憶部（１０１）と、
前記情報収集部により収集された前記作物の前記プレハーベスト条件が前記所定条件を満たしているか否かを判定する条件判定部（Ｓ１０４）と、を備え、
前記処理条件特定部は、前記条件判定部により前記作物の前記プレハーベスト条件が所定条件を満たしていると判定された場合、前記作物に対して実施するヒートショック処理条件を、前記記憶部から読み出して特定する請求項１に記載の庫内温度制御装置。
【請求項３】
前記情報収集部は、前記保管庫に保管されている前記作物の前記プレハーベスト条件および前記作物の品種を含む作物情報を収集し、
前記処理条件特定部は、前記情報収集部により収集された前記作物情報に含まれる前記作物の前記プレハーベスト条件および前記作物の品種に基づいて前記作物に対して実施するヒートショック処理条件を特定する請求項１または２に記載の庫内温度制御装置。
【請求項４】
前記プレハーベスト条件には、前記作物の収穫直前の所定期間内の最高温度が含まれており、
前記記憶部には、前記プレハーベスト条件に含まれる前記作物の収穫直前の所定期間内の最高温度が所定温度以下の場合に前記作物に対して実施するヒートショック処理条件が記憶されており、
前記条件判定部は、前記プレハーベスト条件に含まれる前記作物の収穫直前の所定期間内の最高温度が所定温度以下の場合に、前記情報収集部により収集された前記作物の前記プレハーベスト条件が前記所定条件を満たしていると判定し、
前記処理条件特定部は、前記条件判定部により前記作物の前記プレハーベスト条件が所定条件を満たしていると判定された場合、前記プレハーベスト条件に含まれる前記作物の収穫直前の所定期間内の最高温度が所定温度以下の場合に前記作物に対して実施するヒートショック処理条件を、前記記憶部から読み出して特定する請求項２に記載の庫内温度制御装置。
【請求項５】
前記プレハーベスト条件には、前記作物の品目、前記作物の品種、施肥履歴、前記作物が収穫されるまでの積算温度、前記作物が収穫されるまでの積算湿度、前記作物が収穫されるまでの最高温度、前記作物が収穫されるまでの最低温度、前記作物が所定温度以上に曝された積算時間および病害虫発生状況の少なくとも１つが含まれる請求項１ないし３のいずれか１つに記載の庫内温度制御装置。
【請求項６】
前記プレハーベスト条件を示す識別コードを読み取る識別情報読取器（１０４）を備え、
前記情報収集部は、前記識別情報読取器により読み取られた前記識別コードにより前記作物のプレハーベスト条件を収集する請求項１ないし５のいずれか１つに記載の庫内温度制御装置。
【請求項７】
前記プレハーベスト条件を特定するための情報を受信するための受信機（１０２）を備え、
前記情報収集部は、前記受信機を介して前記プレハーベスト条件を収集する請求項１ないし５のいずれか１つに記載の庫内温度制御装置。
【発明の詳細な説明】
【技術分野】
【０００１】
本発明は、保管庫に保管されている作物に対するヒートショック処理を実施する庫内温度制御装置に関するものである。
【背景技術】
【０００２】
従来、特許文献１に記載された冷凍装置がある。この冷凍装置は、コンテナ内を温める加熱用熱交換器と、コンテナ内を冷却する冷却用熱交換器と、を備えている。この冷凍装置は、青果物を低温貯蔵するためにコンテナ内を冷却するよう冷却用熱交換器を制御する前に、コンテナ内を所定期間、加熱するよう加熱用熱交換器を制御することで、コンテナ内に保管された青果物にヒートショックを与えるようにしている。このようなヒートショックを青果物に与えることにより、低温障害等の発生が抑制され、品質を維持することが可能となる。
【先行技術文献】
【特許文献】
【０００３】
【特許文献１】特開２０１６−１３３２９５号公報
【発明の概要】
【発明が解決しようとする課題】
【０００４】
しかしながら、上記特許文献１に記載された装置のような制御では、作物の収穫前の状況によってはヒートショックによる十分な品質維持効果が得られない場合がある。例えば、春に収穫された作物についてはヒートショックによる品質維持効果が得られるが、夏に収穫された作物についてはヒートショックによる十分な品質維持効果が得られない場合があるといった問題がある。
【０００５】
本発明は上記問題に鑑みたもので、より確実にヒートショックによる品質向上効果を得られるようにすることを目的とする。
【課題を解決するための手段】
【０００６】
上記目的を達成するため、請求項１に記載の発明は、保管庫（２）の内部を冷却する冷却器（１３）と、保管庫の内部を加熱する加熱器（１５）と、を備え、冷却器および加熱器を制御して保管庫に保管されている作物に対するヒートショック処理を実施する庫内温度制御装置であって、保管庫に保管される作物の収穫前の温度条件であるプレハーベスト条件を収集し、このプレハーベスト条件に基づいて作物に対して実施するヒートショック処理条件を特定し、このヒートショック処理条件に従って冷却器および加熱器を制御する。
【０００７】
このような構成によれば、保管庫に保管される作物の収穫前の温度条件であるプレハーベスト条件に基づいて作物に対して実施するヒートショック処理条件を特定し、このヒートショック処理条件に従って冷却器および加熱器が制御されるので、より確実にヒートショックによる品質向上効果を得ることができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】庫内温度制御装置が設置された保管庫の様子を表した図である。
【図２】庫内温度制御装置のブロック図である。
【図３】情報処理装置が設置されたハウスの外観図である。
【図４】運搬用箱の外観図である。
【図５】庫内温度制御装置の記憶部に登録されたプレハーベスト条件を表した図である。
【図６】庫内温度制御装置の制御部のフローチャートである。
【図７】トマトに高温処理を含むヒートショック処理を実施した場合と、トマトに高温処理を実施することなく低温貯蔵した場合の低温障害指数の比較例である。
【図８】異なる品種のいちごに高温処理した場合の効果を表した図である。
【発明を実施するための形態】
【００１０】
本発明の一実施形態に係る庫内温度制御装置の構成について図１〜図２を用いて説明する。庫内温度制御装置１は、保管庫２の内部を冷却する冷却器としての蒸発器１３と、保管庫２の内部を加熱する加熱器としての電気ヒータ１５と、を備え、作物等の収穫物を保管する保管庫２の内部の温度を制御する。
【００１１】
庫内温度制御装置１は、圧縮機１０、放熱器１１、膨張弁１２、蒸発器１３、ヒータコンタクタ１０３、電気ヒータ１５、温度センサ１６、制御部１００、記憶部１０１、受信機１０２およびバーコードリーダー１０４を備えている。圧縮機１０、放熱器１１、膨張弁１２および蒸発器１３は、上記圧縮式の冷凍サイクルを構成するものであり、冷媒配管１４を介して接続されている。
【００１２】
圧縮機１０は、冷媒を圧縮して吐出するものである。圧縮機１０は、吐出容量が固定された固定容量型の圧縮機構を電動モータにて回転駆動する電動圧縮機で構成されている。圧縮機１０の電動モータは、制御部１００から出力される制御信号に応じて、その回転数が制御される。
【００１３】
圧縮機１０の冷媒吐出側には、放熱器１１の冷媒入口側が接続されている。放熱器１１は、第１送風機１１１から送風された外気と圧縮機１０から吐出された冷媒とを熱交換させて冷媒を放熱させる熱交換器である。
【００１４】
放熱器１１の冷媒出口側には、膨張弁１２の冷媒入口側が接続されている。膨張弁１２は、放熱器１１から流出した冷媒を減圧膨張させる減圧装置である。膨張弁１２は、絞り開度を変更可能に構成された弁体と、この弁体の絞り開度を変化させる電動アクチュエータとを有する電気式膨張弁で構成されている。膨張弁１２は、制御部１００から出力される制御信号に応じて、その絞り開度が制御される。
【００１５】
膨張弁１２の冷媒出口側には、蒸発器１３の冷媒入口側が接続されている。蒸発器１３は、第２送風機１３１によって保管庫２の内部空間を循環送風される空気と冷媒とを熱交換させて冷媒を蒸発させる熱交換器である。第２送風機１３１から蒸発器１３に送風された空気は、蒸発器１３における冷媒の蒸発潜熱による吸熱作用によって冷却される。蒸発器１３は、保管庫２の内部を冷却する冷却器に相当する。
【００１６】
電気ヒータ１５は、保管庫２の内部を加熱する装置である。本実施形態の電気ヒータ１５は、抵抗体に電流を流すことによって生じる熱で保管庫２の内部を加熱する。電気ヒータ１５は、保管庫２の内部を加熱する加熱器に相当する。
【００１７】
ヒータコンタクタ１０３は、電気ヒータ１５に電流を供給する電路を開閉する電磁接触機により構成されている。ヒータコンタクタ１０３は、制御部１００から出力される制御信号に応じて、電路の開閉が制御される。
【００１８】
温度センサ１６は、保管庫２の内部に設置されている。温度センサ１６は、保管庫２の内部温度を検出し、検出した温度を示す信号を制御部１００に出力する。
【００１９】
制御部１００は、制御処理や演算処理を行うＣＰＵ、プログラムやデータ等を記憶するＲＯＭ、ＲＡＭ等の記憶部等を備えたマイクロコンピュータとして構成されている。制御部１００は、記憶部に記憶されたプログラムに従って各種処理を実施する。
【００２０】
制御部１００には、記憶部１０１、受信機１０２およびバーコードリーダー１０４が接続されている。
【００２１】
記憶部１０１は、各種データを記憶する外部記憶装置である。記憶部１０１は、ハードディスクドライブによって構成されている。記憶部１０１には、制御部１００からの書き込み指示に応じて各種データが書き込まれる。
【００２２】
受信機１０２は、外部からの信号を受信して受信データを制御部１００に出力する装置である。本実施形態の受信機１０２は、後述する情報処理装置３から送信される信号を受信することが可能となっている。
【００２３】
バーコードリーダー１０４は、バーコードを読み取り、読み取ったデータを出力する装置である。本実施形態では、作物を収納する段ボールやプラコン等の運搬用箱４に貼り付けられたバーコードを読み取るためにバーコードリーダー１０４が用いられる。
【００２４】
次に、情報処理装置３について、図３を参照して説明する。情報処理装置３は、作物を栽培するハウス内の温度、病害虫発生状況等の環境を統合的に管理するものであり、ハウス内に設置されている。情報処理装置３は、操作部、表示部および制御部（いずれも図示せず）を備えたコンピュータによって構成されている。情報処理装置３には、複数の温度センサ３０が接続されている。温度センサ３０は、温度を検出し、検出した温度を示す信号を情報処理装置３に出力する。
【００２５】
情報処理装置３の制御部は、ＣＰＵ、メモリ、Ｉ／Ｏ等を備えたコンピュータとして構成されており、ＣＰＵはメモリに記憶されたプログラムに従って各種処理を実施する。
【００２６】
情報処理装置３の制御部の処理としては、複数の温度センサ３０により検出された温度を周期的に収集し、温度データとしてメモリに記憶させる処理、作物のプレハーベスト条件を表すバーコードを作成する処理、作成したバーコードを図示しないプリンタでシールに印刷する処理等がある。
【００２７】
収穫された作物は、この作物のプレハーベスト条件を表すバーコードが印刷されたバーコードシールが貼られた運搬用箱４に入れて保管庫２まで運搬されるようになっている。
【００２８】
なお、作物のプレハーベスト条件には、作物の品目（例えば、トマト）、品種（例えば、○○トマト）、熟度（例えば、ｍａｔｕｒｅ  ｇｒｅｅｎ）、収穫直前の３０日間の最高温度等の情報が含まれる。
【００２９】
図４は、運搬用箱４の外観図である。この運搬用箱４には、情報処理装置３により作成されたバーコードシール４０が貼り付けられている。ハウス内で収穫された作物は、この運搬用箱４を用いて保管庫２に運搬されるようになっている。
【００３０】
ところで、トマト等の夏野菜を低温の庫内で低温貯蔵すると、低温障害が発生しやすいといった問題がある。低温障害の具体例としては、細胞が破壊して柔らかくなる軟化、例えば、トマトが赤くならない追熟不良、表皮に斑点や黒ずみが発生するピッティング等がある。
【００３１】
このような低温障害を抑制するため、本実施形態の庫内温度制御装置１は、作物を低温貯蔵する前もしくは貯蔵中に、保管庫内を加熱するようにして保管庫内に保管された作物にヒートショックを与えるヒートショック処理を実施する。
【００３２】
このように、作物を低温貯蔵する前もしくは貯蔵中に、保管庫内を加熱してトマトにストレスを与え、その後、低温貯蔵することで低温障害の発生を抑制することが可能となり、高い品質を維持することが可能となる。
【００３３】
本発明者らの研究によれば、収穫前の作物が置かれる温度条件であるプレハーベスト条件により、ヒートショックを与える際の最適な温度条件が異なることが分かった。例えば、５月に収穫されたトマトと１１月に収穫されたトマトでは、収穫直前の所定期間の最高温度であったり、作物が収穫されるまでの積算温度等のプレハーベスト条件が異なる。このようなプレハーベスト条件により、作物に対して与えるべき最適な温度条件が異なることが分かった。
【００３４】
本実施形態の庫内温度制御装置１の記憶部１０１には、作物のプレハーベスト条件が所定条件を満たした際に作物の低温障害の発生が抑制されるよう作物に対して実施するヒートショック処理条件が記憶されている。
【００３５】
図５は、ヒートショック処理条件の登録データの一例である。入力情報として、品目（トマト）、品種（○○トマト）、熟度（例えば、ｍａｔｕｒｅ  ｇｒｅｅｎ）、収穫直前の３０日間の最高温度（２５℃）が含まれており、出力情報として高温処理温度（３８℃）、高温処理時間（７２時間）が含まれている。
【００３６】
庫内温度制御装置１の制御部１００は、保管庫２に保管される作物の収穫前の温度条件であるプレハーベスト条件を収集し、このプレハーベスト条件に基づいて保管庫２に保管される作物に対して実施するヒートショック処理条件を特定し、このヒートショック処理条件に従って冷却器および加熱器を制御する処理を実施する。
【００３７】
なお、図５には、○○トマトについてのヒートショック処理条件の登録データを示してあるが、実際には、バナナ、なす、マンゴー等の作物についてのヒートショック処理条件の登録データも庫内温度制御装置１の記憶部１０１に登録されている。
【００３８】
次に、庫内温度制御装置１の制御部１００の処理について図６を参照して説明する。なお、運搬用箱４に収納された作物は、保管庫２内に搬入されているものとする。制御部１００は、作業者の操作に従って図６に示す処理を開始する。
【００３９】
まず、制御部１００は、Ｓ１００にて、保管庫２内の作物のプレハーベスト条件を収集する。具体的には、図４に示したような、運搬用箱４に貼り付けられたバーコードシール４０のバーコードをバーコードリーダー１０４により読み取らせることによって、作物のプレハーベスト条件を収集する。なお、プレハーベスト条件には、作物の品目（例えば、トマト）、作物の品種（例えば、○○トマト）、作物の収穫直前の所定期間内の最高温度（例えば、２５℃）が含まれる。
【００４０】
次に、制御部１００は、Ｓ１０２にて、保管庫２内の作物がヒートショック効果のある品種であるか否かを判定する。例えば、トマト、バナナ、なす、マンゴー等は、ヒートショック効果のある品目（品種）であると判定し、リンゴ等はヒートショック効果のない品目（品種）であると判定する。
【００４１】
ここで、保管庫２内の作物が○○トマトである場合、制御部１００は、Ｓ１０４において、Ｓ１００にて収集されたプレハーベスト条件に基づいて保管庫２内の作物のプレハーベスト条件が所定条件を満たしているか否かを判定する。具体的には、プレハーベスト条件に含まれる作物の収穫直前の所定期間内の最高温度が所定温度以下の場合に、情報収集部により収集された作物のプレハーベスト条件が所定条件を満たしていると判定する。
【００４２】
より具体的には、保管庫２内の作物の収穫直前の３０日の最高温度が２６．４℃以下となっている場合に、情報収集部により収集された作物のプレハーベスト条件が所定条件を満たしていると判定する。
【００４３】
また、保管庫２内の作物の収穫直前の３０日の最高温度が２６．４℃よりも高い場合には、情報収集部により収集された作物のプレハーベスト条件が所定条件を満たしていないと判定する。
【００４４】
ここで、Ｓ１００にて収集されたプレハーベスト条件に基づいて保管庫２内の作物の収穫直前の３０日の最高温度が２６．４℃以下となっている場合、制御部１００は、Ｓ１０６にて、作物に対して実施するヒートショック処理条件を、記憶部１０１から読み出して特定する。
【００４５】
例えば、図５に示したように、保管庫２内の作物が、品目（トマト）、品種（○○トマト）、収穫前３０日間の最高温度（２５℃）となっており、高温処理温度が３８℃、高温処理時間が７２時間として記憶部１０１に登録されている場合、高温処理温度を３８℃、高温処理時間を７２時間として特定する。
【００４６】
次に、制御部１００は、Ｓ１０６にて、第１温度で第１期間、ヒートショック処理を実施する。ここでは、第１温度を高温処理温度である３８℃とし、第１期間を高温処理時間である７２時間としてヒートショック処理を実施する。制御部１００は、７２時間、温度センサ１６により検出される温度が３８℃に近付くようにヒータコンタクタ１０３および電気ヒータ１５を制御する。
【００４７】
次に、第１期間が経過すると、制御部１００は、Ｓ１１０にて、低温貯蔵処理を実施する。ここでは、低温処理期間である２週間（３３６時間）、保管庫２内の温度が低温処理温度（例えば、３℃）となるよう低温貯蔵処理を実施する。具体的には、３３６時間、温度センサ１６により検出される温度が低温処理温度に近付くように圧縮機１０の電動モータの回転数、第１送風機１１１、第２送風機１３１等を制御する。そして、第２期間が経過すると、制御部１００は、本処理を終了する。
【００４８】
また、Ｓ１０４に判定の際に、保管庫２内の作物の収穫直前の３０日の最高温度が２６．４℃以下よりも高くなっている場合、制御部１００は、Ｓ１０７にて、作物に対して実施するヒートショック処理条件を特定する。ここでは、高温処理温度を４１℃、高温処理期間を７２時間として特定する。
【００４９】
次に、制御部１００は、Ｓ１０６にて、第２温度で第２期間、ヒートショック処理を実施する。ここでは、第２温度を高温処理温度である４１℃とし、第２期間を高温処理時間である７２時間としてヒートショック処理を実施する。制御部１００は、７２時間、温度センサ１６により検出される温度が４１℃に近付くようにヒータコンタクタ１０３および電気ヒータ１５を制御する。
【００５０】
次に、第２期間が経過すると、制御部１００は、Ｓ１１０にて、低温貯蔵処理を実施する。そして、第２期間が経過すると、制御部１００は、本処理を終了する。
【００５１】
また、保管庫２内の作物がリンゴ等のヒートショック効果のない品目（品種）である場合、Ｓ１０２の判定はＮＯとなり、制御部１００は、ヒートショック処理Ｓ１０６、Ｓ１０８を実施することなく、Ｓ１１０へ進み、低温貯蔵処理を実施する。
【００５２】
次に、トマトに高温処理を含むヒートショック処理を実施した場合と、高温処理を実施することなく低温貯蔵した場合の低温障害指数について、図７を参照して説明する。
【００５３】
図７は、５月、６月、１１月に収穫したトマトに高温処理を含むヒートショック処理を実施した場合（高温処理）と、トマトに高温処理を実施することなく低温貯蔵した場合（無処理）の低温障害指数の比較例を表している。
【００５４】
低温障害指数は、細胞が破壊して柔らかくなる軟化、例えば、トマトが赤くならない追熟不良、表皮に斑点や黒ずみが発生するピッティング等を総合的に評価した指標である。低温障害指数が大きいほど、品質が悪化していることを意味する。
【００５５】
なお、５月に収穫したトマトの収穫前３０日間の最高温度は２６．４℃、６月に収穫したトマトの収穫前３０日間の最高温度は２９．９℃、１１月に収穫したトマトの収穫前３０日間の最高温度は２８．６℃となっている。
【００５６】
図７の右側の高温処理は、３８℃で３日間、高温処理を実施した後、３℃で２週間、低温貯蔵し、その後２０℃で棚持ち試験を実施した場合の低温障害指数を表している。また、図７の左側の無処理は、高温処理を実施することなく、３℃で２週間、低温貯蔵し、その後２０℃で棚持ち試験を実施した場合の低温障害指数を表している。
【００５７】
５月と６月に収穫されたトマトに高温処理を含むヒートショック処理を実施した場合には、トマトに高温処理を実施することなく低温貯蔵した場合と比較して、低温障害指数がより小さくなっている。つまり、高温処理を含むヒートショック処理により、低温障害の発生が抑制されている。
【００５８】
しかし、１１月に収穫されたトマトに高温処理を含むヒートショック処理を実施した場合には、トマトに高温処理を実施することなく低温貯蔵した場合と比較して、低温障害指数がより大きくなっている。つまり、高温処理を含むヒートショック処理により、低温障害の発生が抑制されていない。
【００５９】
特に、５月に収穫したトマトの収穫前３０日間の最高温度は２６．４℃となっており、トマトの収穫前３０日間の最高温度が２６．４℃以下の場合に、３８℃で３日間、高温処理を実施した後、３℃で２週間、低温貯蔵した場合に、低温障害指数が大きく抑制されることが確認できた。
【００６０】
図８は、いちごの品種である（○○いちご、△△いちご、××いちご）に対して４２℃で４時間、高温処理した場合の効果を示したものである。具体的には、カビ抑制、腐り抑制、オセ抑制、シワ抑制、食味維持について示してある。なお、オセは、自重でつぶれることを意味する。
【００６１】
○○いちごと××いちごは、カビ抑制効果が確認できたが、△△いちごでは、カビ抑制効果は確認できなかった。また、○○いちごは食味を維持することができたが、△△いちごと××いちごは食味を維持することができなかった。
【００６２】
このように、同一条件でヒートショック処理を実施した場合、品種によってヒートショック処理の効果が異なることが分かる。すなわち、品種毎にヒートショック処理条件を変更するのが好ましい。
【００６３】
以上、説明したように、本実施形態の庫内温度制御装置は、保管庫２の内部を冷却する蒸発器１３と、保管庫２の内部を加熱する電気ヒータ１５と、を備えている。そして、蒸発器１３および電気ヒータ１５を制御して保管庫２に保管されている作物に対するヒートショック処理を実施する。また、庫内温度制御装置は、保管庫２に保管される作物の収穫前の温度条件であるプレハーベスト条件を収集し、このプレハーベスト条件に基づいて作物に対して実施するヒートショック処理条件を特定する。そして、このヒートショック処理条件に従って冷却器および加熱器を制御する。
【００６４】
このような構成によれば、保管庫に保管される作物の収穫前の温度条件であるプレハーベスト条件に基づいて作物に対して実施するヒートショック処理条件を特定し、このヒートショック処理条件に従って蒸発器１３および電気ヒータ１５が制御されるので、より確実にヒートショックによる品質維持効果を得ることができる。
【００６５】
また、上記したように、庫内温度制御装置は、作物のプレハーベスト条件が所定条件を満たした際に作物の低温障害の発生が抑制されるよう作物に対して実施するヒートショック処理条件を記憶する記憶部１０１を備えている。そして、情報収集部により収集された作物のプレハーベスト条件が所定条件を満たしているか否かを判定し、作物のプレハーベスト条件が所定条件を満たしていると判定された場合、作物に対して実施するヒートショック処理条件を、記憶部から読み出して特定する。
【００６６】
このように、作物のプレハーベスト条件が所定条件を満たしていると判定された場合、作物に対して実施するヒートショック処理条件を、記憶部から読み出して特定することができる。
【００６７】
また、上記したように、情報収集部は、保管庫に保管されている作物のプレハーベスト条件および作物の品種を含む作物情報を収集し、処理条件特定部は、情報収集部により収集された作物情報に含まれる作物のプレハーベスト条件および作物の品種に基づいて作物に対して実施するヒートショック処理条件を特定する。
【００６８】
このように、作物のプレハーベスト条件および作物の品種に基づいて作物に対して実施するヒートショック処理条件を特定するので、異なる品種の作物に対して異なるヒートショック処理条件で冷却器および加熱器を制御することができる。
【００６９】
また、上記したように、プレハーベスト条件には、作物の収穫直前の所定期間内の最高温度が含まれている。また、記憶部には、プレハーベスト条件に含まれる作物の収穫直前の所定期間内の最高温度が所定温度以下の場合に、作物に対して実施するヒートショック処理条件が記憶されている。
【００７０】
また、庫内温度制御装置は、プレハーベスト条件に含まれる作物の収穫直前の所定期間内の最高温度が所定温度以下の場合に、情報収集部により収集された作物のプレハーベスト条件が所定条件を満たしていると判定する。
【００７１】
このように、プレハーベスト条件に含まれる作物の収穫直前の所定期間内の最高温度が所定温度以下の場合に、プレハーベスト条件に含まれる作物の収穫直前の所定期間内の最高温度が所定温度以下の場合に作物に対して実施するヒートショック処理条件を、記憶部から読み出して特定することができる。
【００７２】
また、庫内温度制御装置は、プレハーベスト条件を示すバーコードを読み取るバーコードリーダー１０４を備えている。そして、バーコードリーダー１０４により読み取られたバーコードにより作物のプレハーベスト条件を収集する。
【００７３】
このように、バーコードリーダー１０４により読み取られたバーコードにより作物のプレハーベスト条件を収集することで、プレハーベスト条件を正確に収集することができる。
【００７４】
（他の実施形態）
（１）上記実施形態では、Ｓ１００にて、保管庫２内の作物のプレハーベスト条件を収集する際に、バーコードリーダー１０４を用いてバーコードシール４０のバーコードを読み取ることで、作物のプレハーベスト条件を収集するようにした。
【００７５】
これに対し、受信機１０２を介して情報処理装置３から保管庫２内の作物のプレハーベスト条件を示す信号を受信することで、作物のプレハーベスト条件を収集するようにしてもよい。
【００７６】
このように、受信機１０２を介して情報処理装置３から保管庫２内の作物のプレハーベスト条件を示す信号を受信することにより、作物のプレハーベスト条件を収集することで、プレハーベスト条件を正確に、かつ、速やかに収集することができる。
【００７７】
（２）上記実施形態では、バーコードを読み取るバーコードリーダー１０４を備えるようにしたが、例えば、バーコードリーダー１０４に代えて、ＱＲコードを読み取るＱＲコードリーダーを備えるよう構成することもできる（ＱＲコードは登録商標）。
【００７８】
（３）上記実施形態では、Ｓ１００にて、保管庫２内の作物のプレハーベスト条件を収集するようにした。これに対し、プレハーベスト条件とともに収穫前の栽培地のエチレン量を収集するようにしてもよい。
【００７９】
（４）上記実施形態では、保管庫の内部を加熱する加熱器として電気ヒータ１５を用いたが、電気ヒータ１５に限定されるものではなく、例えば、ガスヒータ等を用いることもできる。
【００８０】
（５）上記実施形態では、ハウス内で作物を栽培する例を示したが、作物を路地栽培するケースに適用することもできる。
【００８１】
（６）プレハーベスト条件には、作物の品目、作物の品種、施肥履歴、作物が収穫されるまでの積算温度、作物が収穫されるまでの積算湿度、作物が収穫されるまでの最高温度、作物が収穫されるまでの最低温度、作物が所定温度以上に曝された積算時間および病害虫発生状況の少なくとも１つが含まれるようにすることができる。
【００８２】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００８３】
（まとめ）
上記各実施形態の一部または全部で示された第１の観点によれば、庫内温度制御装置は、保管庫の内部を冷却する冷却器と、保管庫の内部を加熱する加熱器と、を備えている。そして、冷却器および加熱器を制御して保管庫に保管されている作物に対するヒートショック処理を実施する。
【００８４】
また、庫内温度制御装置は、保管庫に保管される作物の収穫前の温度条件であるプレハーベスト条件を収集する情報収集部を備えている。また、情報収集部により収集されたプレハーベスト条件に基づいて作物に対して実施するヒートショック処理条件を特定する処理条件特定部を備えている。さらに、処理条件特定部により特定されたヒートショック処理条件に従って冷却器および加熱器を制御する温度制御部を備えている。
【００８５】
また、第２の観点によれば、庫内温度制御装置は、作物のプレハーベスト条件が所定条件を満たした際に作物の低温障害の発生が抑制されるよう作物に対して実施するヒートショック処理条件を記憶する記憶部を備えている。
【００８６】
また、収集した作物のプレハーベスト条件が所定条件を満たしているか否かを判定し、このプレハーベスト条件が所定条件を満たしていると判定された場合、作物に対して実施するヒートショック処理条件を、記憶部から読み出して特定する。
【００８７】
このように、作物のプレハーベスト条件が所定条件を満たしていると判定された場合、作物に対して実施するヒートショック処理条件を、記憶部から読み出して特定することができる。
【００８８】
また、第３の観点によれば、情報収集部は、保管庫に保管されている作物のプレハーベスト条件および作物の品種を含む作物情報を収集する。また、処理条件特定部は、情報収集部により収集された作物情報に含まれる作物のプレハーベスト条件および作物の品種に基づいて作物に対して実施するヒートショック処理条件を特定する。
【００８９】
このように、作物のプレハーベスト条件および作物の品種に基づいて作物に対して実施するヒートショック処理条件を特定するので、異なる品種の作物に対して異なるヒートショック処理条件で冷却器および加熱器を制御することができる。
【００９０】
また、第４の観点によれば、プレハーベスト条件には、作物の収穫直前の所定期間内の最高温度が含まれている。また、記憶部には、プレハーベスト条件に含まれる作物の収穫直前の所定期間内の最高温度が所定温度以下の場合に、作物に対して実施するヒートショック処理条件が記憶されている。
【００９１】
また、条件判定部は、プレハーベスト条件に含まれる作物の収穫直前の所定期間内の最高温度が所定温度以下の場合に、情報収集部により収集された作物のプレハーベスト条件が所定条件を満たしていると判定する。
【００９２】
そして、処理条件特定部は、条件判定部により作物のプレハーベスト条件が所定条件を満たしていると判定された場合、プレハーベスト条件に含まれる作物の収穫直前の所定期間内の最高温度が所定温度以下の場合に作物に対して実施するヒートショック処理条件を、記憶部から読み出して特定する。
【００９３】
このように、プレハーベスト条件に含まれる作物の収穫直前の所定期間内の最高温度が所定温度以下の場合に、プレハーベスト条件に含まれる作物の収穫直前の所定期間内の最高温度が所定温度以下の場合に作物に対して実施するヒートショック処理条件を、記憶部から読み出して特定することができる。
【００９４】
また、第５の観点によれば、プレハーベスト条件には、作物の品目、作物の品種、施肥履歴、作物が収穫されるまでの積算温度、作物が収穫されるまでの積算湿度、作物が収穫されるまでの最高温度、作物が収穫されるまでの最低温度、作物が所定温度以上に曝された積算時間および病害虫発生状況の少なくとも１つが含まれる。
【００９５】
このように、プレハーベスト条件には、作物の品目、作物の品種、施肥履歴、作物が収穫されるまでの積算温度、作物が収穫されるまでの積算湿度、作物が収穫されるまでの最高温度、作物が収穫されるまでの最低温度、作物が所定温度以上に曝された積算時間および病害虫発生状況の少なくとも１つを含ませることができる。
【００９６】
また、第６の観点によれば、庫内温度制御装置は、プレハーベスト条件を示す識別コードを読み取る識別情報読取器を備え、情報収集部は、識別情報読取器により読み取られた識別コードにより作物のプレハーベスト条件を収集する。
【００９７】
このように、識別情報読取器により読み取られた識別コードにより作物のプレハーベスト条件を収集することで、プレハーベスト条件を正確に収集することができる。
【００９８】
また、第７の観点によれば、プレハーベスト条件を特定するための情報を受信するための受信機を備え、情報収集部は、受信機を介してプレハーベスト条件を収集する。
【００９９】
このように、受信機を介してプレハーベスト条件を示す信号を受信することにより、プレハーベスト条件を収集することで、プレハーベスト条件を正確に、かつ、速やかに収集することができる。
【０１００】
なお、上記実施形態における構成と特許請求の範囲の構成との対応関係について説明すると、Ｓ１００の処理が情報収集部に相当し、Ｓ１０５、Ｓ１０７の処理が処理条件特定部に相当し、Ｓ１０６、Ｓ１０８、Ｓ１１０が温度制御部に相当する。また、Ｓ１０４が条件判定部に相当し、バーコードリーダー１０４、ＱＲコードリーダー（図示せず）が識別情報読取器に相当する。
【符号の説明】
【０１０１】
１      庫内温度制御装置
１０    圧縮機
１１    放熱器
１２    膨張弁
１３    蒸発器
１５    電気ヒータ
１６    温度センサ
１００  制御部
１０１  記憶部
１０２  受信機
１０３  ヒータコンタクタ
１０４  バーコードリーダー
３      情報処理装置
４      運搬用箱
３０    温度センサ
４０    バーコードシール
【図１】
0006988443.tif 000002
【図２】
0006988443.tif 000003
【図３】
0006988443.tif 000004
【図４】
0006988443.tif 000005
【図５】
0006988443.tif 000006
【図６】
0006988443.tif 000007
【図７】
0006988443.tif 000008
【図８】
0006988443.tif 000009